(57)【特許請求の範囲】
【請求項１】
第１のヘッダー部と第１の情報領域部とから構成される第１のパケットを用いてデータの送受信を行う第１のネットワークと、第２のヘッダー部と第２の情報領域部とから構成される第２のパケットを用いてデータの送受信を行う第２のネットワークとの間のデータ中継を行うネットワーク中継装置において、
前記第１のネットワークから受信した前記第１のパケットの前記第１のヘッダー部に格納されたあて先アドレスを参照し、このあて先アドレスが前記第１のネットワーク内に存在するか否かを判定する手段と、
前記あて先アドレスが前記第１のネットワーク内に存在しないと判定された場合に、前記第１のパケットを前記第２のパケットの前記第２の情報領域部に格納する手段と、
前記第１のパケットが前記第２の情報領域部に格納された前記第２のパケットを前記第２のネットワークに送信する手段と
を具備することを特徴とするネットワーク中継装置。
【請求項２】
第１のヘッダー部と第１の情報領域部とから構成される第１のパケットを用いてデータの送受信を行う第１のネットワークと、第２のヘッダー部と第２の情報領域部とから構成される第２のパケットを用いてデータの送受信を行う第２のネットワークとの間のデータ中継を行うネットワーク中継方法であって、
前記第１のネットワークから受信した前記第１のパケットの前記第１のヘッダー部に格納されたあて先アドレスを参照し、このあて先アドレスが前記第１のネットワーク内に存在するか否かを判定するステップと、
前記あて先アドレスが前記第１のネットワーク内に存在しないと判定された場合に、前記第１のパケットを前記第２のパケットの前記第２の情報領域部に格納するステップと、
前記第１のパケットが前記第２の情報領域部に格納された前記第２のパケットを前記第２のネットワークに送信するステップと
を具備することを特徴とするネットワーク中継方法。
【発明の詳細な説明】
【０００１】
【発明の属する技術分野】
この発明は、たとえば各地に点在する複数の店舗でインターネット接続サービスを提供する場合などに適用して好適なネットワーク中継装置およびネットワーク中継方法に係り、特に、この複数の店舗内のすべての顧客の管理を各々のコンピュータの物理アドレスを用いて１つのサーバコンピュータで実行することなどを可能とするネットワーク中継装置およびネットワーク中継方法に関する。
【０００２】
【従来の技術】
近年、インターネットが広く普及し、企業や個人がこのインターネット上で情報を公開したり、あるいは、種々のサービスを提供するなどといったことを行っている。また、これに伴い、最近では、たとえば店舗内に無線ＬＡＮ（Ｌｏｃａｌ  Ａｒｅａ  Ｎｅｔｗｏｒｋ）を敷設し、この無線ＬＡＮに顧客のコンピュータを接続させたり、あるいは、この無線ＬＡＮに接続可能なコンピュータを貸し与えて、インターネットを手軽に利用できる環境を提供する、いわゆるインターネット接続サービスも誕生している。図１０に、このインターネット接続サービスを提供するための一般的なシステム構成を示す。
【０００３】
図１０に示すように、各店舗には、サーバコンピュータ１０と、このサーバコンピュータ１０とイーサネットで接続された少なくとも１つのアクセスポイント２０とが設置される。そして、たとえばインターネット１００経由でサービス提供コンピュータ２００が提供するサービスを受けるためのパーソナルコンピュータ３０は、このアクセスポイント２０が形成する無線ＬＡＮのサービスエリア内で当該アクセスポイント２０と無線接続される。
【０００４】
各パーソナルコンピュータ３０は、インターネット１００経由でデータを送受信するために必要となるＩＰアドレスを、各店舗のサーバコンピュータ１０からその度ごとに取得する。つまり、インターネット１００経由のデータ送受信のために各パーソナルコンピュータ３０が送受信するイーサネットパケットは、すべてサーバコンピュータ１０を経由することになる。そして、サーバコンピュータ１０は、自分を経由させて各パーソナルコンピュータ３０が送受信するイーサネットパケットに格納されたＭＡＣアドレスを利用して、たとえば課金などの顧客管理を実行している。
【０００５】
【発明が解決しようとする課題】
ところで、各店舗に設置されるサーバコンピュータ１０は、高い処理能力が要求されるため、多くの場合、高機能デスクトップコンピュータが採用される。しかしながら、この高機能デスクトップコンピュータは高価であるため、店舗数が増えると大幅なコストアップを招いてしまう。
【０００６】
このようなことから、最近では、このサーバコンピュータ１０を各店舗から切り離して単独で設置し、すべての店舗のパーソナルコンピュータ３０をこの１台のサーバコンピュータ１０でインターネット経由で一元管理するという構想も持ち上がっている。
【０００７】
この構想を実現するためには、各パーソナルコンピュータ３０が送受信するイーサネットパケットをインターネット経由で遠隔地に設置されたサーバコンピュータ１０に転送することが必要となる。しかしながら、インターネット経由でＭＡＣアドレスが格納されたイーサネットパケットを送受信するプロトコルが現在のところ存在しないといった問題があった。
【０００８】
また、各パーソナルコンピュータ３０が送信するイーサネットパケットのあて先ＭＡＣアドレスを遠隔地に設置されたサーバコンピュータ１０のＭＡＣアドレスとするためには、このインターネット経由で接続されるサーバコンピュータ１０と各店舗との２つの場所を１つのサブネットに見せかける必要もあった。
【０００９】
この発明は、このような事情を考慮してなされたものであり、各地に点在する複数の店舗内のすべてのユーザアの管理を各々のコンピュータの物理アドレスを用いて１つのサーバコンピュータで管理することなどを可能とするネットワーク中継装置およびネットワーク中継方法を提供することを目的とする。
【００１０】
【課題を解決するための手段】
前述した目的を達成するために、この発明は、第１のヘッダー部と第１の情報領域部とから構成される第１のパケットを用いてデータの送受信を行う第１のネットワークと、第２のヘッダー部と第２の情報領域部とから構成される第２のパケットを用いてデータの送受信を行う第２のネットワークとの間のデータ中継を行うネットワーク中継装置において、前記第１のネットワークから受信した前記第１のパケットの前記第１のヘッダー部に格納されたあて先アドレスを参照し、このあて先アドレスが前記第１のネットワーク内に存在するか否かを判定する手段と、前記あて先アドレスが前記第１のネットワーク内に存在しないと判定された場合に、前記第１のパケットを前記第２のパケットの前記第２の情報領域部に格納する手段と、前記第１のパケットが前記第２の情報領域部に格納された前記第２のパケットを前記第２のネットワークに送信する手段とを具備することを特徴とする。
【００１１】
また、この発明は、第１のヘッダー部と第１の情報領域部とから構成される第１のパケットを用いてデータの送受信を行う第１のネットワークと、第２のヘッダー部と第２の情報領域部とから構成される第２のパケットを用いてデータの送受信を行う第２のネットワークとの間のデータ中継を行うネットワーク中継方法であって、前記第１のネットワークから受信した前記第１のパケットの前記第１のヘッダー部に格納されたあて先アドレスを参照し、このあて先アドレスが前記第１のネットワーク内に存在するか否かを判定するステップと、前記あて先アドレスが前記第１のネットワーク内に存在しないと判定された場合に、前記第１のパケットを前記第２のパケットの前記第２の情報領域部に格納するステップと、前記第１のパケットが前記第２の情報領域部に格納された前記第２のパケットを前記第２のネットワークに送信するステップとを具備することを特徴とする。
【００１２】
この発明においては、たとえばイーサネットのＭＡＣアドレスをインターネット経由でそのまま転送でき、また、インターネットを介して接続される複数の遠隔地を１つのサブネットとして処理できるため、遠隔地において、各パーソナルコンピュータの顧客の管理を実際のＭＡＣアドレスを用いて一元的に行うことなどが可能となる。
【００１３】
【発明の実施の形態】
以下、図面を参照してこの発明の一実施形態を説明する。
【００１４】
図１は、この発明の実施形態に係るネットワークシステムの概略構成を示す図である。
【００１５】
このネットワークシステムは、たとえばサービス提供コンピュータ２００が提供するサービスを受けるための環境、つまりインターネット１００に接続するための環境を提供するサービスを行うためのものであり、図１に示すように、営業拠点である対顧客用の複数の店舗と、その顧客を一元管理するための本部オフィスとが遠隔地に設けられる。また、各店舗と本部オフィスとは、インターネット１００を介してそれぞれ接続される。
【００１６】
各地に点在する複数の店舗それぞれには、モデム４０とアクセスポイント２０とが設置される。モデム４０は、アクセスポイント２０からのデジタル信号をアナログ信号に変換してインターネット１００に送り出すとともに、インターネット１００からのアナログ信号をデジタル信号に変換してアクセスポイント２０に送り出す変復調装置である。また、アクセスポイント２０は、所定の地理的範囲に無線ＬＡＮのサービスエリアを形成するとともに、この形成した無線ＬＡＮとインターネット１００との間の中継を制御する中継装置である。そして、顧客が利用するパーソナルコンピュータ３０は、このアクセスポイント２０が形成する無線ＬＡＮのサービスエリア内で当該アクセスポイント２０と無線接続することにより、インターネット１００との接続を行うことになる。
【００１７】
一方、本部オフィスには、各店舗に置かれるモデム４０とアクセスポイント２０との外に、サーバコンピュータ１０が設置される。このサーバコンピュータ１０は、ルータとして機能するものであり、後述する原理で、顧客が利用するパーソナルコンピュータ３０の送信データを格納するＩＰパケットをインターネット１００に送り出すとともに、そのパーソナルコンピュータ３０の受信データを格納するＩＰパケットをインターネット１００から取り込む。また、サーバコンピュータ１０は、このインターネット１００経由のデータ送受信のためにパーソナルコンピュータ３０が送受信するイーサネットパケットに格納されるＭＡＣアドレスを利用して、たとえば課金などの顧客管理を実行する。
【００１８】
そして、この実施形態のネットワークシステムは、遠隔地に設けられてインターネット１００経由で接続される本部オフィスと各店舗とを、あたかも１つのサブネット内にいるかのように見せかけることにより、前述のように、サーバコンピュータ１０が、顧客の管理を各パーソナルコンピュータ３０のＭＡＣアドレスを利用して一元的に行えるようにした点を特徴としており、以下、この点について詳述する。
【００１９】
図２は、本部オフィスおよび各店舗それぞれに設置されるアクセスポイント２０の論理的なスタック構成を示す図である。
【００２０】
図２に示すように、各店舗に設置されるアクセスポイント２０は、トンネリング処理部２１、ＩＰルーター部２２、ブリッジ部２３および無線ＬＡＮ部２４の各処理部を有している。一方、本部オフィスに設置されるアクセスポイント２０は、無線ＬＡＮ部２４の代わりにイーサネット部２５を有している。なお、これらの各部は、アクセスポイント２０が備えるＣＰＵの動作手順を記述するプログラムによってソフトウェアとして構成されるものである。
【００２１】
ここで、ある店舗のパーソナルコンピュータ３０が、インターネット１００経由でサービス提供コンピュータ２００と通信する場合を想定し、その時のアクセスポイント２０の各部の動作を説明する。なお、ここでは、パーソナルコンピュータ３０のＭＡＣアドレスを“Ａ”、ＩＰアドレスを“Ｘ”とし、一方、サーバコンピュータ１０のＭＡＣアドレスを“Ｂ”、ＩＰアドレスを“Ｙ”とする。また、サービス提供コンピュータ２００のＩＰアドレスを“Ｚ”とし、さらに、店舗側のアクセスポイント２０のＩＰアドレスを“α”、本部オフィス側のアクセスポイント２０のＩＰアドレスを“β”とする。また、パーソナルコンピュータ３０のＩＰアドレス“Ｘ”は、サーバコンピュータ１０から一時的に割り当てられるものである。
【００２２】
パーソナルコンピュータ３０の無線ＬＡＮ部３１から送信されたイーサネットパケットは、店舗側のアクセスポイント２０では、無線ＬＡＮ部２４で受信される（図２（１））。図３（Ａ）は、この時に送受信されるイーサネットパケットの内容を示す図である。
【００２３】
なお、以下では、パケットのあて先や差出人、データ長などの制御データを格納する領域をヘッダー、このヘッダー以外のいわゆるユーザデータを格納する領域をペイロード（情報格納部）と称する。
【００２４】
図３（Ａ）に示すように、イーサネットヘッダには、あて先アドレス（ＤＡ：Destination Address）としてサーバコンピュータ１０のＭＡＣアドレス“Ｂ”が格納され、一方、差出人アドレス（ＳＡ：Source Address）としてパーソナルコンピュータ３０のＭＡＣアドレス“Ａ”が格納される。また、このイーサネットパケットのペイロードには、サービス提供コンピュータ２００に向けてインターネット１００に送り出されるＩＰパケットが格納され、その先頭のＩＰヘッダには、あて先アドレスとしてサービス提供コンピュータ２０のＩＰアドレス“Ｚ”が格納され、一方、差出人アドレスとしてパーソナルコンピュータ３０のＩＰアドレス“Ｘ”が格納される。
【００２５】
ところで、従来では、サーバコンピュータ１０やパーソナルコンピュータ３０のＭＡＣアドレスを格納するイーサネットヘッダを切り離し、残ったＩＰパケットのみをインターネット１００に送り出していた。つまり、インターネット１００を介して接続される遠隔地のサーバコンピュータ１０では、このＭＡＣアドレスを利用した顧客管理を行うことはできなかった。そこで、このネットワークシステムでは、アクセスポイント２０が、インターネット１００を介した遠隔地をＭＡＣブリッジ接続するための仕組みを備えることにより、遠隔地のサーバコンピュータ１０がＭＡＣアドレスを利用した顧客管理を行うことを実現する。
【００２６】
パーソナルコンピュータ３０からのイーサネットパケットを受け取った無線ＬＡＮ部２４は、このパケットをブリッジ部２３に引き渡す（図２（２））。そして、ブリッジ部２３は、イーサネットヘッダのあて先アドレスをみて、当該アクセスポイント２０を通過させるべきパケットであると判定し、このパケットをトンネリング処理部２１に引き渡す（図２（３））。
【００２７】
一方、トンネリング処理部２１は、ブリッジ部２３から受け取ったイーサネットパケットをＩＰルータ部２２に引き渡す（図２（４））。より具体的には、トンネリング処理部２１は、ブリッジ部２３の出力をＩＰルーター部２２の上位に接続する役目を担い、このイーサネットパケットをユーザデータとしてＩＰルーター部２２に引き渡す。
【００２８】
そして、このイーサネットパケットをユーザデータとして受け取ったＩＰルーター部２２は、このイーサネットパケットをＩＰパケットのペイロードに格納するとともに、予め設定された本部オフィス側のアクセスポイント２０のＩＰアドレス“β”をあて先アドレス、当該アクセスポイント２０のＩＰアドレス“α”を差出人アドレスとしてＩＰヘッダにそれぞれ格納する。図３（Ｂ）は、この時に作成されるＩＰパケットの内容を示す図である。そして、ＩＰルーター部２２は、このＩＰパケットをモデム４０に送信してインターネット１００に送り出す（図２（５））。
【００２９】
一方、このようにインターネット１００に送り出されたＩＰパケットは、モデム４０を介して本部オフィス側のアクセスポイント２０に転送され、ＩＰルーター部２２でアクセスポイント２０内に取り込まれる。図４（Ａ）は、この時にＩＰルーター部２２が取り込むＩＰパケットの内容を示す図である。そして、ＩＰルーター部２２は、このＩＰパケットからペイロード、つまりイーサネットパケットだけを取り出してトンネリング処理部２１に引き渡す（図２（６））。図４（Ｂ）は、この時にＩＰルーター部２２からトンネリング処理部２１に引き渡されるイーサネットパケットの内容を示す図である。
【００３０】
また、トンネリング処理部２１は、ＩＰルーター部２２から受け取ったイーサネットパケットをブリッジ部２３に引き渡す（図２（７））。ここで、ブリッジ部２３は、イーサネットヘッダのあて先アドレスをみて、当該アクセスポイント２０を通過させるべきパケットであると判定し、このパケットをイーサネット部２５に引き渡す（図２（８））。そして、イーサネット部２５は、この受け取ったイーサネットパケットを出力する（図２（９））。
【００３１】
このイーサネットパケットは、そのあて先アドレスがＭＡＣアドレス“Ｂ”であることから、サーバコンピュータ１０のイーサネット部１１によりサーバコンピュータ１０内に取り込まれる。その後、サーバコンピュータ１０では、イーサネットヘッダーを切り離し、残ったＩＰパケットのみをインターネット１００に送り出すとともに、このイーサネットヘッダーに格納された差出人アドレス、つまりＭＡＣアドレス“Ａ”を利用して、課金などの顧客管理を実行する。
【００３２】
このように、このネットワークシステムでは、インターネット１００経由でＭＡＣアドレスが格納されたイーサネットパケットを送受信することができ、このＭＡＣアドレスを利用したパーソナルコンピュータ３０の管理をサーバコンピュータ１０が遠隔地にて実行することを可能とする。なお、サーバコンピュータ１０がインターネット１００に送り出したＩＰパケットは、そのあて先アドレスがＩＰアドレス“Ｚ”であることから、サービス提供コンピュータ２００に転送され、また、サービス提供コンピュータ２００からの返信は、その差出人アドレスがサーバコンピュータ１０からパーソナルコンピュータ３０に割り当てられたＩＰアドレス“Ｘ”であることから、このサーバコンピュータ１０経由でパーソナルコンピュータ３０に転送されることになる。
【００３３】
そこで、今度は、図５乃至図７を参照して、サービス提供コンピュータ２００から返信されたデータをパーソナルコンピュータ３０に転送する場合のアクセスポイント２０の各部の動作を説明する。
【００３４】
サーバコンピュータ１０は、サービス提供コンピュータ２００がパーソナルコンピュータ３０に向けて送信したＩＰパケットをインターネット１００から取り込むと、その先頭に、あて先アドレスとしてパーソナルコンピュータ３０のＭＡＣアドレス“Ａ”、差出人アドレスとして自身のＭＡＣアドレス“Ｂ”を格納したイーサネットヘッダーを付加したイーサネットパケットを作成し、これをイーサネット部１１から出力する（図５（１））。図６（Ａ）は、この時に出力されるイーサネットパケットの内容を示す図である。この時、サーバコンピュータ１０は、このイーサネットヘッダーに格納したあて先アドレス、つまりＭＡＣアドレス“Ａ”を利用して、課金などの顧客管理を実行する。
【００３５】
このサーバコンピュータ１０のイーサネット部１１から出力されたイーサネットパケットは、本部オフィス側のアクセスポイント２０では、イーサネット部２５が受信する。また、サーバコンピュータ１０からのイーサネットパケットを受け取ったイーサネット部２５は、このパケットをブリッジ部２３に引き渡す。そして、ブリッジ部２３は、イーサネットヘッダのあて先アドレスをみて、当該アクセスポイント２０を通過させるべきパケットであると判定し、パケットをトンネリング処理部２１に引き渡す（図５（３））。
【００３６】
一方、トンネリング処理部２１は、前述と同様に、ブリッジ部２３から受け取ったイーサネットパケットをＩＰルータ部２２に引き渡す（図５（４））。そして、ＩＰルーター部２２は、ユーザデータとして受け取ったこのイーサネットパケットをＩＰパケットのペイロードに格納するとともに、予め設定された店舗側のアクセスポイント２０のＩＰアドレス“α”をあて先アドレス、当該アクセスポイント２０のＩＰアドレス“β”を差出人アドレスとしてＩＰヘッダにそれぞれ格納する。図６（Ｂ）は、この時に作成されるＩＰパケットの内容を示す図である。そして、ＩＰルーター部２２は、このＩＰパケットをモデム４０に送信してインターネット１００に送り出す（図５（５））。
【００３７】
一方、このようにインターネット１００に送り出されたＩＰパケットは、モデム４０を介して店舗側のアクセスポイント２０に転送され、ＩＰルーター部２２でアクセスポイント２０内に取り込まれる。図７（Ａ）は、この時にＩＰルーター部２２が取り込むＩＰパケットの内容を示す図である。そして、ＩＰルーター部２２は、前述と同様に、このＩＰパケットからイーサネットパケットを取り出してトンネリング処理部２１に引き渡す（図５（６））。図７（Ｂ）は、この時にＩＰルーター部２２からトンネリング処理部２１に引き渡されるイーサネットパケットの内容を示す図である。
【００３８】
また、トンネリング処理部２１は、ＩＰルーター部２２から受け取ったイーサネットパケットをブリッジ部２３に引き渡す（図５（７））。ここで、ブリッジ部２３は、イーサネットヘッダのあて先アドレスをみて、当該アクセスポイント２０を通過させるべきパケットであると判定し、このパケットを無線ＬＡＮ部２４に引き渡す（図５（８））。そして、無線ＬＡＮ部２４は、このイーサネットパケットのあて先アドレスがＭＡＣアドレス“Ａ”であることから、パーソナルコンピュータ３０に向けて送信する（図５（９））。
【００３９】
このように、このネットワークシステムでは、アクセスポイント２０がインターネット１００を介して接続される店舗側と本部オフィス側とをＭＡＣブリッジ接続することにより、これらの遠隔地があたかも１つのサブネット内に位置するかのように見せかけることができ、これによって、パーソナルコンピュータ３０とサーバコンピュータ１０との双方が互いのＭＡＣアドレスを格納したイーサネットパケットを用いて通信することを可能とする。
【００４０】
次に、図８および図９を参照して、このネットワークシステムにおけるアクセスポイント２０の動作手順について説明する。
【００４１】
図８は、イーサネットパケットをインターネット１００経由で送信する場合のアクセスポイント２０の動作手順を示すフローチャートである。
【００４２】
この場合のアクセスポイント２０は、まず、ブリッジ部２３が、イーサネットパケットのイーサネットヘッダーに格納されたあて先アドレスをみて、そのロケーションを判別する（ステップＡ１）。そして、そのあて先アドレスがローカルエリア内に存在しなければ（ステップＡ２のＮＯ）、このイーサネットパケットを通過させてトンネリング処理部２１に転送する。
【００４３】
このイーサネットパケットは、トンネリング処理部２１を経由してＩＰルーター部２２にユーザデータとして転送され、ＩＰルーター部２２で、このイーサネットパケットがＩＰパケットのペイロードに格納される（ステップＡ３）。そして、ＩＰルーター部２２は、このイーサネットパケットをペイロードに格納したＩＰパケットをインターネット１００に送り出す（ステップＡ４）。
【００４４】
図９は、イーサネットパケットをインターネット１００経由で受信する場合のアクセスポイント２０の動作手順を示すフローチャートである。
【００４５】
この場合のアクセスポイント２０は、まず、ＩＰルーター部２２が、ＩＰパケットのペイロードにユーザデータとして格納されたイーサネットパケットを取り出し、トンネリング処理部２１に転送する（ステップＢ１）。このイーサネットパケットは、トンネリング処理部２１を経由してブリッジ部２３に転送され、このブリッジ部２３から無線ＬＡＮ部２４またはイーサネット部２５を介してローカルエリアに送り出される（ステップＢ２）。
【００４６】
このように、このアクセスポイント２０は、インターネット１００経由でイーサネットパケットを送受信する、つまり、インターネット１００を介した遠隔地をＭＡＣブリッジ接続するための仕組みを実現する。
【００４７】
なお、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４８】
【発明の効果】
以上、詳述したように、この発明によれば、たとえばイーサネットのＭＡＣアドレスをインターネット経由でそのまま転送でき、また、インターネットを介して接続される複数の遠隔地を１つのサブネットとして処理できるため、遠隔地において、各パーソナルコンピュータの顧客の管理を実際のＭＡＣアドレスを用いて一元的に行うことなどが可能となる。
【図面の簡単な説明】
【図１】この発明の実施形態に係るネットワークシステムの概略構成を示す図。
【図２】同実施形態のネットワークシステムにおいて本部オフィスおよび各店舗それぞれに設置されるアクセスポイントの論理的なスタック構成を示す図。
【図３】同実施形態のネットワークシステムのアクセスポイントがイーサネットパケットをペイロードに格納したＩＰパケットを作成する例を示す第１の図。
【図４】同実施形態のネットワークシステムのアクセスポイントがＩＰパケットのペイロードからイーサネットパケットを取り出す例を示す第１の図。
【図５】同実施形態のネットワークシステムにおいて本部オフィスおよび各店舗それぞれに設置されるアクセスポイントの論理的なスタック構成を示す図。
【図６】同実施形態のネットワークシステムのアクセスポイントがイーサネットパケットをペイロードに格納したＩＰパケットを作成する例を示す第２の図。
【図７】同実施形態のネットワークシステムのアクセスポイントがＩＰパケットのペイロードからイーサネットパケットを取り出す例を示す第２の図。
【図８】同実施形態のネットワークシステムがイーサネットパケットをインターネット経由で送信する場合のアクセスポイントの動作手順を示すフローチャート。
【図９】同実施形態のネットワークシステムがイーサネットパケットをインターネット経由で受信する場合のアクセスポイントの動作手順を示すフローチャート。
【図１０】従来のインターネット接続サービスを提供するための一般的なシステム構成を示す図。
【符号の説明】
１０…サーバコンピュータ
１１…イーサネット部
２０…アクセスポイント
２１…トンネリング処理部
２２…ＩＰルーター部
２３…ブリッジ部
２４…無線ＬＡＮ部
２５…イーサネット部
３０…パーソナルコンピュータ
３１…無線ＬＡＮ部
４０…モデム
１００…インターネット
２００…サービス提供コンピュータ
【図１】
0003625445.tif 000002
【図２】
0003625445.tif 000003
【図３】
0003625445.tif 000004
【図４】
0003625445.tif 000005
【図５】
0003625445.tif 000006
【図６】
0003625445.tif 000007
【図７】
0003625445.tif 000008
【図８】
0003625445.tif 000009
【図９】
0003625445.tif 000010
【図１０】
0003625445.tif 000011